(57)【要約】【課題】  窮屈感を軽減することができ、かつ、太ももを細く見せることができるボトム衣類を提供する。【解決手段】  本発明のボトム衣類は、ヒップを覆う後部分１０１Ｂおよび後部分１０１Ｂに向かい合う前部分１０１Ａを含むボトム衣類１００であって、さらに、一対の第１のサポートライン部１０２を含み、第１のサポートライン部１０２は、ボトム衣類１００の内腿側から大腿部前面側を通って膝関節外側に至るように、上部と下部とからなる湾曲形状を呈しており、第１のサポートライン部１０２の上部は、大腿三角の少なくとも一部を覆うとともに、大腿三角に隣接する縫工筋よりも外側面側部分を覆わないように形成されており、第１のサポートライン部１０２の下部は、縫工筋と交差し、膝関節の外側面側へ向かって斜め下方に延在するように形成されていることを特徴とする。【選択図】  図１
2014189923.tif 000002
【特許請求の範囲】
【請求項１】
ヒップを覆う後部分および前記後部分に向かい合う前部分を含むボトム衣類であって、
さらに、一対の第１のサポートライン部を含み、
前記第１のサポートライン部は、前記ボトム衣類の内腿側から大腿部前面側を通って膝関節外側に至るように、上部と下部とからなる湾曲形状を呈しており、
前記第１のサポートライン部の上部は、大腿三角の少なくとも一部を覆うとともに、大腿三角に隣接する縫工筋よりも外側面側部分を覆わないように形成されており、
前記第１のサポートライン部の下部は、縫工筋と交差し、膝関節の外側面側へ向かって斜め下方に延在するように形成されていることを特徴とするボトム衣類。
【請求項２】
前記第１のサポートライン部の上部は、前記ボトム衣類の前部分における大腿部の縫工筋よりも内側において、恥骨よりも下側の位置から下方に向かい、
前記第１のサポートライン部の下部は、膝関節の中央位置から６ｃｍ以上上側であって、かつ、大腿部の付け根と膝関節中央位置との間の距離の半分よりも下側の位置で縫工筋と交差して、大腿部の外側に至ることを特徴とする請求項１記載のボトム衣類。
【請求項３】
前記第１のサポートライン部は、前記ボトム衣類における前記第１のサポートライン部以外の部分よりも難伸縮であることを特徴とする請求項１または２記載のボトム衣類。
【請求項４】
前記第１のサポートライン部の縫工筋との交差位置よりも上側部分が、大腿部後側方向に凸となる湾曲形状であることを特徴とする請求項１から３のいずれか一項に記載のボトム衣類。
【請求項５】
前記第１のサポートライン部の縫工筋との交差位置よりも上側部分において、大腿三角に接する部分は、前記第１のサポートライン部の上側部分におけるその他の部分よりも面積が広くなっていることを特徴とする請求項１から４のいずれか一項に記載のボトム衣類。
【請求項６】
さらに、前記ボトム衣類の後部分において、大腿部内側の上端から膝の外側に向かって配置されている一対の第２のサポートライン部を含むことを特徴とする請求項１から５のいずれか一項に記載のボトム衣類。
【請求項７】
衣類がガードルであることを特徴とする請求項１から６のいずれか一項に記載のボトム衣類。
【発明の詳細な説明】
【技術分野】
【０００１】
本発明は、ボトム衣類に関する。
【背景技術】
【０００２】
従来から、下腹部、ヒップまたは太もも等の下半身の体型を補整し、きれいなシルエットに整えたいというニーズがある。このようなニーズに応えるため、例えば、ヒップアップ機能等の体型補整機能を有するショーツおよびガードル等のボトム衣類が、従来から使用されている。例えば、下記特許文献１では、緊締力の切替部分を設けている編地からなり、左右の臀部膨出部の夫々の下側部から腰側部にかけた臀部外周部分に強緊締力とした所要幅の第１サポート部を設けると共に、太もも回りに強緊締力とした所要幅の第２サポート部を設け、前記第１サポート部と第２サポート部とを臀部膨出部の下端縁に沿う臀溝位置で接合させているボトム衣類が提案されている。
【先行技術文献】
【特許文献】
【０００３】
【特許文献１】実用新案登録第３１１８２９５号公報
【発明の概要】
【発明が解決しようとする課題】
【０００４】
しかし、前記特許文献１記載のボトム衣類を含めた従来の補整機能を有するボトム衣類は、着用時に締め付け感があり、窮屈に感じるという問題があった。体型補整に関するニーズの中でも、太ももを細く見せたいというニーズは大きいが、特に、下腹部およびヒップは補整する必要はなく太もものみ補整したいという場合、従来のボトム衣類では窮屈感が強かった。
【０００５】
そこで、本発明は、窮屈感を軽減することができ、かつ、太ももを細く見せることができるボトム衣類を提供することを目的とする。
【課題を解決するための手段】
【０００６】
前記目的を達成するために、本発明のボトム衣類は、
ヒップを覆う後部分および前記後部分に向かい合う前部分を含むボトム衣類であって、
さらに、一対の第１のサポートライン部を含み、
前記第１のサポートライン部は、前記ボトム衣類の内腿側から大腿部前面側を通って膝関節外側に至るように、上部と下部とからなる湾曲形状を呈しており、
前記第１のサポートライン部の上部は、大腿三角の少なくとも一部を覆うとともに、大腿三角に隣接する縫工筋よりも外側面側部分を覆わないように形成されており、
前記第１のサポートライン部の下部は、縫工筋と交差し、膝関節の外側面側へ向かって斜め下方に延在するように形成されていることを特徴とする。
【発明の効果】
【０００７】
本発明のボトム衣類は、上記のような構成であるため、窮屈感を軽減することができ、かつ、太ももを細く見せることができる。
【図面の簡単な説明】
【０００８】
【図１】図１は、本発明の第１の実施形態に係るガードル１００を示す図である。図１（ａ）は、ガードル１００の着用状態の正面図、図１（ｂ）は、ガードル１００の着用状態を右脚の内側から見た図である。
【図２】図２は、人体の右脚大腿部の骨格および筋肉の一部を表した模式図に、前記第１の実施形態に係るガードル１００の第１のサポートライン部を当てはめた図である。
【図３】図３（ａ）および図３（ｂ）は、前記第１の実施形態に係るガードル１００の第１のサポートライン部の機能を説明する模式図である。
【図４】図４（ａ）および図４（ｂ）は、前記第１の実施形態に係るガードル１００の第１のサポートライン部のバリエーションの図である。
【図５】図５は、本発明の第２の実施形態に係るガードル２００を示す図である。図５（ａ）は、ガードル２００の着用状態の正面図、図５（ｂ）は、ガードル２００の着用状態を右脚の内側から見た図、図５（ｃ）は、ガードル２００の着用状態の背面図である。
【図６】図６は、本発明の第３の実施形態に係るレギンス３００を示す図である。図６（ａ）は、レギンス３００の着用状態の正面図、図６（ｂ）は、レギンス３００の着用状態を右脚の内側から見た図、図６（ｃ）は、レギンス３００の着用状態の背面図である。
【図７】図７は、本発明のボトム衣類の着用評価の結果の一例を示す図である。
【図８】図８は、本発明のボトム衣類の着用評価の結果の一例を示す図である。
【図９】図９は、太ももの内側を示す図である。
【発明を実施するための形態】
【０００９】
本発明のボトム衣類について、以下、例をあげて説明する。ただし、本発明は、以下の例に限定および制限されない。なお、下記図１〜図９において、同一部分には同一の符号を付している。本発明において、位置を表す表現は、着用時を基準としている。
【００１０】
（第１の実施形態）
図１に、本発明の第１の実施形態に係るボトム衣類１００を示す。本実施形態のボトム衣類は、ガードルである。図１（ａ）は、ガードル１００の着用状態の正面図であり、図１（ｂ）は、ガードル１００の着用状態を右脚の内側から見た図である。図１（ａ）および（ｂ）に示すように、本実施形態のガードル１００は、ヒップを覆う後部分１０１Ｂおよび後部分１０１Ｂに向かい合う前部分１０１Ａを含み、さらに、一対の第１のサポートライン部１０２を含む。ここで、「一対の」とは、第１のサポートライン部１０２が前部分１０１Ａの左右に配置されていることを表している。
【００１１】
図２に、人体の右脚大腿部の骨格および筋肉の一部を表した模式図に、第１のサポートライン部１０２を当てはめた図を示す。図１および図２に示すように、本発明において、第１のサポートライン部１０２は、ガードル１００の内腿側から大腿部前面側を通って膝関節外側に至るように、上部と下部とからなる湾曲形状を呈している。そして、第１のサポートライン部１０２の上部は、大腿三角Ｕの少なくとも一部を覆うとともに、大腿三角Ｕに隣接する縫工筋Ｓよりも外側面側部分を覆わないように形成されており、第１のサポートライン部１０２の下部は、縫工筋Ｓと交差し、膝関節の外側面側へ向かって斜め下方に延在するように形成されている。本実施形態では、第１のサポートライン部１０２の上部は、ガードル１００の前部分１０１Ａにおける大腿部の縫工筋Ｓよりも内側において、恥骨Ｔよりも下側の位置から、大腿部前側方向に下方に向かっている。そして、第１のサポートライン部１０２の下部は、位置Ｘにおいて縫工筋Ｓと交差して、大腿部の外側に向けて配置されている。本実施形態において、位置Ｘは、膝関節中央位置Ｐから少なくとも６ｃｍ以上上側であり、かつ、大腿部の付け根Ｑと膝関節中央位置Ｐとの間の距離Ｚの半分よりも下側となる位置である。なお、位置Ｘは、第１のサポートライン部１０２の幅方向の中央部分の位置を示している。
【００１２】
そして、本実施形態において、第１のサポートライン部１０２は、ガードル１００における第１のサポートライン部１０２以外の部分よりも難伸縮である。これにより、第１のサポートライン部１０２で覆われた部分に、他の部分よりも大きな着圧を作用させている。なお、本実施形態では、第１のサポートライン部１０２が難伸縮性を有する例を挙げているが、本発明はこれに限られない。本発明では、例えば、第１のサポートライン部１０２が、ガードル１００の他の部分よりも復元力（伸長回復性とも表現できる）が大きくなるようにしてもよい。この場合にも、着用状態において第１のサポートライン部で覆われた部分に他の部分よりも大きな着圧を作用させることができるため、本実施形態と同様の効果を得ることができる。
【００１３】
図３に、第１のサポートライン部１０２の機能を説明する模式図を示す。図３（ａ）は、本実施形態のガードル１００を着用していない場合の大腿部を模式的に示した図であり、図３（ｂ）は、本実施形態のガードル１００を着用した場合の大腿部を模式的に示した図である。本実施形態のガードル１００を着用すると、第１のサポートライン部１０２と接する部分には、大腿部内側から外側方向に向けて（図３（ｂ）に示す矢印の方向）圧力がかかる。本実施形態では、前述のように、第１のサポートライン部１０２をガードル１００におけるその他の部分よりも難伸縮とすることにより、他の部分よりも大きな着圧を作用させることで、前記圧力を生じさせている。そのため、図３（ｂ）に示すように、第１のサポートライン部１０２によって、大腿部内側の大腿三角Ｕの部分の肉が押さえられる。なお、「大腿三角」とは、縫工筋、長内転筋の内側縁、および、鼡径靭帯で囲まれる領域である。また、第１のサポートライン部１０２は、縫工筋Ｓと交差し、縫工筋Ｓを大腿部の外側方向に引くため、縫工筋Ｓが大腿部の外側に動かされ、大腿三角Ｕの部分の皮下組織の面積が広がる。そのため、大腿三角Ｕの部分に肉が収まるスペースが広がり、第１のサポートライン部１０２によって押さえられた肉がこのスペース内に収まる。これにより、本発明のボトム衣類によれば、両脚の太ももの間の隙間が広がり、太ももを細く見せることができる。
【００１４】
本実施形態において、第１のサポートライン部１０２は、前述のように、位置Ｘで縫工筋Ｓと交差している。第１のサポートライン部１０２が、この位置Ｘで縫工筋Ｓと交差することにより、縫工筋Ｓを効率よく外側方向に動かすことができるため、好ましい。
【００１５】
太ももの内側には脂肪がつきやすいため、太ももを細く見せたいというニーズの中でも、特に、太ももの内側（図９に二点鎖線で囲んで示す部分）を細く見せたいというニーズが大きい。また、太ももの内側の肉は、柔らかく動かしやすい。本発明のボトム衣類によれば、前述のように、第１のサポートライン部１０２によって縫工筋Ｓを大腿部の外側に動かして大腿三角Ｕの面積を広げつつ、大腿三角Ｕの部分の肉を押さえるため、脂肪がつきやすく、かつ、肉が柔らかく動かしやすい部分に効率よく圧力をかけることにより、両脚の太ももの間の隙間を広げ、太ももを細く見せることができる。
【００１６】
本発明において、第１のサポートライン部１０２による圧力がかかるのは、大腿三角の部分、および、縫工筋との交差位置の部分のみである。このように、本発明のボトム衣類によれば、肉が柔らかく動かしやすい部分に効率よく圧力をかけることによって太ももを細く見せることができるため、太ももを過度に締め付ける必要がない。また、前述のとおり、第１のサポートライン部１０２は、大腿三角Ｕの部分の面積を広げつつ肉を押さえるので、第１のサポートライン部１０２の部分についても、肉が押さえられているという窮屈感が少ない。このように、本発明のボトム衣類によれば、窮屈感を軽減することができる。さらに、本実施形態において、第１のサポートライン部１０２は、恥骨Ｔよりも下側の位置から膝の外側に向けて配置されており、血管および神経が皮膚の下の浅い部分を通っている恥骨近傍部分および膝の内側部分を押さえないため、圧迫感がない。
【００１７】
本発明者等が体型補整に関するニーズを調査したところ、特に、２０代等の若い世代では、太ももを細く見せたいというニーズが多くある一方で、体の肉が硬いためガードルによる締め付け感を感じやすく、ガードルの着用を避ける傾向にあることがわかった。本発明のボトム衣類によれば、前述のように、肉が柔らかく動かしやすい部分に効率よく圧力をかけるため、窮屈感が軽減され、かつ、太ももを細く見せることができる。そのため、本発明のボトム衣類は、若い世代を含めた幅広い世代向けに好適に用いることができる。また、本発明のボトム衣類によれば、前述のように、太ももの内側の隙間を広げることができるため、例えば、スポーツ時に本発明のボトム衣類を着用すれば、太ももの内側において両脚の肉がこすれるのを防ぐことができ、動きやすいという効果もある。
【００１８】
本実施形態では、第１のサポートライン部１０２の縫工筋Ｓとの交差位置Ｘよりも上側部分１０２Ａが、大腿部後側方向に凸となる湾曲形状である。具体的には、第１のサポートライン部１０２の前記上側部分１０２Ａは、図１（ｂ）に示すように、恥骨よりも下側の位置から、まず大腿部後側に向かい、その後大腿部前側に向かう湾曲形状である。これにより、第１のサポートライン部１０２を大腿三角Ｕの位置に合わせるとともに、大腿部内側から大腿部前側方向に斜め下方に方向性を持たせて配置することができ、より効率よく大腿三角の肉を押さえつつ縫工筋を動かすことができるため、好ましい。ただし、本発明はこれに限定されず、第１のサポートライン部１０２は、例えば、図４（ａ）に示すように、恥骨よりも下側の位置から位置Ｘに向けて湾曲することなく斜めに配置されていてもよいし、図４（ｂ）に示すように、恥骨よりも下側の位置からまっすぐ下方に降りた後に、位置Ｘに向けて斜め下方に配置されていてもよい。
【００１９】
本発明において、第１のサポートライン部１０２の幅は特に制限されないが、例えば、２ｃｍ〜１０ｃｍの範囲が好ましく、より好ましくは、４ｃｍ〜６．５ｃｍの範囲であり、さらに好ましくは特に４．５ｃｍ前後である。また、本発明において、第１のサポートライン部１０２の幅は、一定ではなく位置によって異なっていてもよい。例えば、第１のサポートライン部１０２の上端部から下１０ｃｍまでの領域の方が、第１のサポートライン部１０２の縫工筋Ｓとの交差位置Ｘを含む下側部分よりも全体的に見たときに幅が太くなるように形成することが好ましい。第１のサポートライン部１０２をこのような幅に設定することにより、大腿三角Ｕおよび縫工筋Ｓに適度な圧力をかけることができる。
【００２０】
本実施形態では、第１のサポートライン部１０２の縫工筋Ｓとの交差位置Ｘよりも上側部分１０２Ａにおいて、大腿三角Ｕに接する部分は、第１のサポートライン部１０２の前記上側部分１０２Ａにおけるその他の部分よりも面積が広くなっている。これにより、大腿三角Ｕの部分の肉を広い面積にわたって押さえることができるため、好ましい。第１のサポートライン部１０２の前記上側部分１０２Ａにおいて、最も幅が広い部分（図１（ｂ）中にＲで示す部分）の幅は、大腿三角の幅と同程度となるように設定するか、それよりも大きくなるように設定することが好適である。ただし、本発明はこれに限られず、第１のサポートライン部１０２の前記上側部分１０２Ａは、すべて同じ幅であってもよい。また、本発明において、第１のサポートライン部１０２の前記上側部分１０２Ａは、大腿三角の少なくとも一部を覆うように形成されていればよい。
【００２１】
本実施形態において、第１のサポートライン部１０２は、別部材を前部分１０１Ａに取り付けて形成されている。本発明において、第１のサポートライン部に使用できる素材は、特に制限されないが、例えば、ワンウェイパワーネット、ツーウェイトリコット等があげられる。ただし、本発明はこれに限られず、例えば樹脂を前部分１０１Ａに塗布して第１のサポートライン部１０２を形成してもよいし、さらには、前部分１０１Ａの編み組織を部分的に変更することによって第１のサポートライン部１０２を形成してもよい。その他、抜触加工によって、第１のサポートライン部１０２に相当する部分をガードル１００の前部分１０１Ａの生地に形成するようにしてもよい。
【００２２】
本発明において、第１のサポートライン部は、本実施形態のようにボトム衣類における第１のサポートライン部以外の部分よりも難伸縮であることが好ましい。これにより、着用時に、第１のサポートライン部の位置に適度な圧力をかけることができる。
【００２３】
本発明において、第１のサポートライン部１０２は、帯状に形成されていてもよいし、例えば花柄等の図柄を施してもよい。
【００２４】
本発明において、第１のサポートライン部の上端部の位置は、前述のように、大腿部の縫工筋よりも内側で恥骨よりも下側の位置であることが、血管および神経が皮膚の下の浅い部分を通っている箇所に圧力がかからないため、好ましい。また、本発明において、第１のサポートライン部の下端部の位置は、膝関節の外側面側に配置されていればよく、特に制限されない。
【００２５】
本発明において、前部分１０１Ａおよび後部分１０１Ｂに使用できる素材は、特に制限されないが、着用時に締め付け感がないように、肌触りの柔らかい生地を使用することが好ましい。前部分１０１Ａおよび後部分１０１Ｂに使用できる素材として、例えば、ツーウェイトリコット、生地端始末不要のいわゆるフリーカット素材等があげられる。また、本発明のボトム衣類は、前部分と後部分とが別部材であり、互いに固着することによって形成されていてもよいし、前部分と後部分とが一体で形成されていてもよい。
【００２６】
本発明において、前部分１０１Ａおよび後部分１０１Ｂの丈は、特に制限されないが、第１のサポートライン部１０２の配置との関係上、股下１７ｃｍ以上であることが好ましい。
【００２７】
本実施形態では、ガードルを例に挙げて説明したが、本発明はこれに限定されず、例えば、ショーツにも適用することができる。また、本発明は、必要に応じて、ヒップアップ機能等の他の体型補整機能を有するボトム衣類と組み合わせて使用することもできる。
【００２８】
（第２の実施形態）
図５に、本発明の第２の実施形態に係るボトム衣類２００を示す。本実施形態のボトム衣類は、ガードルである。図５（ａ）は、ガードル２００の着用状態の正面図であり、図５（ｂ）は、ガードル２００の着用状態を右脚の内側から見た図であり、図５（ｃ）は、ガードル２００の着用状態の背面図である。
【００２９】
図５（ａ）〜（ｃ）に示すように、本実施形態に係るガードル２００は、一対の第１のサポートライン部１０２とともに、一対の第２のサポートライン部２０３を含む。その他は、前記第１の実施形態と同様である。ここで、「一対の」とは、第１のサポートライン部１０２については、前部分１０１Ａの左右に配置されていることを表し、第２のサポートライン部２０３については、後部分１０１Ｂの左右に配置されていることを表している。
【００３０】
本実施形態における第２のサポートライン部２０３は、ガードル２００の後部分１０１Ｂにおいて、大腿部内側の上端から膝の外側に向かって配置されている。これにより、ガードル２００の後部分１０１Ｂにも、大腿部の内側から外側に向けて（図５（ｃ）中に矢印で示す方向）第２のサポートライン部２０３による圧力が働くため、前部分１０１Ａと後部分１０１Ｂとでサポートライン部による圧力のバランスをとることができ、好ましい。また、大腿部の後側部分は、臀溝部から下側にかけて皮膚に余裕があるため、この部分に圧力をかけても窮屈感が少ない。そのため、第２のサポートライン部２０３を設けても、窮屈感が増すことはない。
【００３１】
本実施形態において、第２のサポートライン部２０３に使用できる素材、および、後部分１０１Ｂへの取り付け方は、前記第１の実施形態における第１のサポートライン部１０２と同様である。
【００３２】
本実施形態では、第２のサポートライン部２０３は、ガードル２００における第１のサポートライン部１０２および第２のサポートライン部２０３以外の部分よりも難伸縮である。ただし、本発明はこれに限られず、第２のサポートライン部２０３は、例えば、ガードル２００における第１のサポートライン部１０２および第２のサポートライン部２０３以外の部分よりも復元力（伸長回復性とも表現できる）が大きくなるようにしてもよい。
【００３３】
図５（ｂ）に示すように、本実施形態において、第１のサポートライン部１０２と、第２のサポートライン部２０３とは、大腿部の内側の位置で連結されていることが好ましい。これにより、第１のサポートライン部１０２と、第２のサポートライン部２０３とが互いに支え合い、力のバランスをとることができる。
【００３４】
（第３の実施形態）
図６に、本発明の第３の実施形態に係るボトム衣類３００を示す。本実施形態のボトム衣類は、ふくらはぎ下部までを覆うタイプのレギンスである。図６（ａ）は、レギンス３００の着用状態の正面図であり、図６（ｂ）は、レギンス３００の着用状態を右脚の内側から見た図であり、図６（ｃ）は、レギンス３００の着用状態の背面図である。
【００３５】
本実施形態は、レギンスである他は、前記第２の実施形態と同様である。このように、本発明は、レギンスにも好適に用いることができる。なお、本実施形態は、前記第２の実施形態と同様の第１のサポートライン部１０２および第２のサポートライン部２０３を含むレギンスであるが、本発明はこれに限られず、前記第１の実施形態と同様の第１のサポートライン部１０２のみを含むレギンスとすることもできる。
【００３６】
（着用客観評価）
図６に示すタイプの本発明の第３の実施形態に係るレギンス３００を作製し、着用評価を行った。本評価では、モニターＡおよびＢの２名について、レギンス３００を着用した際の太もものシルエットを、ヌードの状態と比較した。図７（ａ）がモニターＡの結果であり、図７（ｂ）がモニターＢの結果である。図７（ａ）および図７（ｂ）それぞれにおいて、左側がヌードの状態を示す図であり、右側がレギンス３００を着用した状態を示す図である。また、図７（ａ）および図７（ｂ）に示す二点鎖線は、観察した位置を示すために付加している。
【００３７】
図７（ａ）および図７（ｂ）に示すように、モニターＡおよびＢともに、本発明のレギンス３００を着用した場合、ヌードの状態と比べて太もも内側の付け根付近における両脚の間の隙間が広がり、太ももが細く見えた。このように、本発明のレギンス３００は、太ももを細く見せることができることがわった。
【００３８】
また、図８に、前記モニターＢについて、図７（ｂ）中に二点鎖線で示した箇所の左脚の断面図を模式的に示す。同図において、実線がレギンス３００を着用した場合の断面図であり、破線がヌードの状態の断面図である。同図に示すように、本発明のレギンス３００を着用した場合、ヌードの場合より太もも内側のラインが内側に押さえられていることがわかった。
【００３９】
（着用主観評価）
図６に示すタイプの本発明の第３の実施形態に係るレギンス３００を作製し、着用評価を行った。本評価では、モニター７名に前記レギンス３００を着用してもらった。また、比較例として、同じモニター７名に、従来品の体型補整効果のあるレギンスを着用してもらった。
【００４０】
その結果、７名中７名が、本発明のレギンス３００の方が動きやすいと回答した。また、７名中７名が、本発明のレギンス３００の方が一日中履いていられると回答した。また、本発明のレギンス３００について、モニターにコメントを求めたところ、「太ももの付け根あたりの肉がすっきりしている」との回答が得られた。これにより、本発明のレギンス３００は、太ももを細く見せることができ、かつ、着用時に窮屈感がないことが確認できた。
【００４１】
以上、本発明の具体例として、ガードルおよびレギンスをあげて本発明を説明したが、本発明のボトム衣類は、これらの具体例で記載されたもののみに限定されるものではなく、種々の態様が可能である。例えば、本発明は、上記の実施形態のようなガードルおよびレギンス以外にも、スパッツ、ストッキング、タイツその他の各種ボトム衣類に適用できる。また、本発明は、上記の実施形態のようなファンデーション衣類以外にも、レオタード、水着、その他各種の衣類に適用できる。
【産業上の利用可能性】
【００４２】
本発明のボトム衣類は、窮屈感を軽減することができ、かつ、太ももを細く見せることができるため、その用途は限定されず広い分野で使用することができる。
【符号の説明】
【００４３】
１００、２００  ボトム衣類（ガードル）
３００    ボトム衣類（レギンス）
１０１Ａ  前部分
１０１Ｂ  後部分
１０２    第１のサポートライン部
１０２Ａ  第１のサポートライン部の縫工筋との交差位置よりも上側部分
２０３    第２のサポートライン部
Ｓ  縫工筋
Ｔ  恥骨
Ｕ  大腿三角
Ｘ  第１のサポートライン部と縫工筋との交差位置
【図１】
2014189923.tif 000003
【図２】
2014189923.tif 000004
【図３】
2014189923.tif 000005
【図４】
2014189923.tif 000006
【図５】
2014189923.tif 000007
【図６】
2014189923.tif 000008
【図７】
2014189923.tif 000009
【図８】
2014189923.tif 000010
【図９】
2014189923.tif 000011